(57)【特許請求の範囲】
【請求項１】
周囲を照射する主光源を装着可能とする器具本体と、
前記器具本体の外周縁部に設けられた枠と
を備えるとともに、
それぞれが、光を放射する第１の副光源と、前記第１の副光源を収納し、当該第１の副光源からの光が外部に出射するための第１の照射用開口面が形成された第１のケースとを有し、前記枠の中心を通る直線の境界線によって２つの領域に区切られた前記枠の一方の領域に取り付けられ、前記枠の中心軸方向から見て、当該枠の中心から前記第１の副光源への第１の方向に対して、前記境界線と直交する第２の方向に傾いて角度をなす第３の方向を中心に、前記第１の照射用開口面から外部に出射した前記第１の副光源からの光が照射する複数の第１の光源部を備える
ことを特徴とする照明器具。
【請求項２】
前記第１の照射用開口面が可動自在であることを特徴とする請求項１記載の照明器具。
【請求項３】
前記第１のケースが、
前記第１の副光源を収納し、全方向に予め決められた角度の範囲内で回動自在の第１の可動部と、
前記第１の可動部を収納し、当該第１の可動部とともに一の軸回りに揺動自在の第２の可動部と
を有することを特徴とする請求項２記載の照明器具。
【請求項４】
前記第１の照射用開口面が固定されていることを特徴とする請求項１記載の照明器具。
【請求項５】
部屋の天井に設置され、
複数の前記第１の副光源が、前記部屋の一の壁面を照射可能とする
ことを特徴とする請求項１〜４のいずれか記載の照明器具。
【請求項６】
光を放射する第２の副光源と、前記第２の副光源を収納し、当該第２の副光源からの光が外部に出射するための第２の照射用開口面が形成された第２のケースとを有し、前記枠の他方の領域に取り付けられ、前記第２の照射用開口面から外部に出射した前記第２の副光源からの光が、前記枠の中心軸と略平行する方向を中心に照射する第２の光源部を備えることを特徴とする請求項１〜５のいずれか記載の照明器具。
【請求項７】
前記第１の光源部及び前記第２の光源部が、前記枠に等間隔に取り付けられて備えることを特徴とする請求項６記載の照明器具。
【請求項８】
前記器具本体が、部屋の天井面に密着して取り付けられて回動自在とすることを特徴とする請求項１〜７のいずれか記載の照明器具。
【請求項９】
一対の前記第１の光源部が、前記枠の中心軸方向から見て、当該枠の中心から前記境界線と直交する直線に関して線対称となるように前記枠の一方の領域に取り付けられることを特徴とする請求項１〜８のいずれか記載の照明器具。
【請求項１０】
前記枠の中心軸方向から見て、前記第１の方向と前記第３の方向とでなされた角度が、前記第１の方向と前記第２の方向とでなされた角度より小さいことを特徴とする請求項１〜９のいずれか記載の照明器具。
【発明の詳細な説明】
【技術分野】
【０００１】
本発明は、複数の光源を用いた照明器具に関するものである。
【背景技術】
【０００２】
従来、この種の照明器具は、主光源とは別に複数の副光源を備え、例えば一般住宅の部屋の天井面などに取り付けられるものである。特許文献１には、従来の照明器具として、方形箱状の直接拡散照明ユニットと、この直接拡散照明ユニットの各角隅部に配設された複数のスポットライトとを備える多機能形照明器具が開示されている。各スポットライトは、小型モータによって直接拡散照明ユニットの対角線方向の直下となる範囲を照射する。これにより、特許文献１の多機能形照明器具は、各スポットライトの照射方向を直接拡散照明ユニットの下方に近づけることによって、その範囲のみを周囲より明るくすることができる。
【特許文献１】特開平５−６７４０３号公報（第２，３頁及び第２，５，７図）
【発明の開示】
【発明が解決しようとする課題】
【０００３】
しかしながら、上記特許文献１の照明器具は、各スポットライトの照射方向を直接拡散照明ユニットの対角線方向のみ調整可能とするので、照明器具の外側の範囲に対して各スポットライトの照射方向が放射状の方向に発散してしまい、各スポットライトの照射方向を近づけて明るくすることが難しいという問題があった。特に、照明器具を部屋の天井面に設置して壁面の一部の範囲のみを周囲より明るくしたい場合、照明器具から壁面までの距離が長くなると、各スポットライトの照射方向が発散し、上記壁面の一部の範囲のみを周囲より明るくすることが難しいものであった。
【０００４】
本発明は上記の点に鑑みて為されたものであり、その目的とするところは、自己の外側となる所定の範囲を周囲より明るくすることができる照明器具を提供することにある。
【課題を解決するための手段】
【０００５】
請求項１に記載の発明は、周囲を照射する主光源を装着可能とする器具本体と、前記器具本体の外周縁部に設けられた枠とを備えるとともに、それぞれが、光を放射する第１の副光源と、前記第１の副光源を収納し、当該第１の副光源からの光が外部に出射するための第１の照射用開口面が形成された第１のケースとを有し、前記枠の中心を通る直線の境界線によって２つの領域に区切られた前記枠の一方の領域に取り付けられ、前記枠の中心軸方向から見て、当該枠の中心から前記第１の副光源への第１の方向に対して、前記境界線と直交する第２の方向に傾いて角度をなす第３の方向を中心に、前記第１の照射用開口面から外部に出射した前記第１の副光源からの光が照射する複数の第１の光源部を備えることを特徴とする。
【０００６】
この構成によれば、複数の第１の副光源によって照明器具の外側となる所定の範囲を周囲より明るくすることができる。これにより、例えば部屋の天井面に設置した場合に、所定の壁面のみを周囲よりも明るくすることができ、ユーザの希望や用途に応じた雰囲気を出すことを可能とする。
【０００７】
請求項２に記載の発明は、請求項１に記載の発明において、前記第１の照射用開口面が可動自在であることを特徴とする。この構成によれば、第１の副光源による照射方向を調整することができる。
【０００８】
請求項３に記載の発明は、請求項２に記載の発明において、前記第１のケースが、前記第１の副光源を収納し、全方向に予め決められた角度の範囲内で回動自在の第１の可動部と、前記第１の可動部を収納し、当該第１の可動部とともに一の軸回りに揺動自在の第２の可動部とを有することを特徴とする。この構成によれば、第１の副光源による照射方向を容易に調整することができる。
【０００９】
請求項４に記載の発明は、請求項１に記載の発明において、前記第１の照射用開口面が固定されていることを特徴とする。この構成によれば、複数の第１の副光源によって照明器具の外側となる所定の範囲を周囲より確実に明るくすることができる。
【００１０】
請求項５に記載の発明は、請求項１〜４のいずれかに記載の発明において、部屋の天井に設置され、複数の前記第１の副光源が、前記部屋の一の壁面を照射可能とすることを特徴とする。この構成によれば、複数の第１の副光源によって壁面の一部を周囲より明るくすることができる。
【００１１】
請求項６に記載の発明は、請求項１〜５のいずれかに記載の発明において、光を放射する第２の副光源と、前記第２の副光源を収納し、当該第２の副光源からの光が外部に出射するための第２の照射用開口面が形成された第２のケースとを有し、前記枠の他方の領域に取り付けられ、前記第２の照射用開口面から外部に出射した前記第２の副光源からの光が、前記枠の中心軸と略平行する方向を中心に照射する第２の光源部を備えることを特徴とする。この構成によれば、第１の副光源によって照明器具の外側となる所定の範囲を周囲より明るくすることができるとともに、第２の副光源によって照明器具の直下の範囲も明るくすることができる。
【００１２】
請求項７に記載の発明は、請求項６に記載の発明において、前記第１の光源部及び前記第２の光源部が、前記枠に等間隔に取り付けられて備えることを特徴とする。この構成によれば、第１の光源部及び第２の光源部を等間隔に取り付けることによって、デザイン性を向上させることができる。
【００１３】
請求項８に記載の発明は、請求項１〜７のいずれかに記載の発明において、前記器具本体が、部屋の天井面に密着して取り付けられて回動自在とすることを特徴とする。この構成によれば、第１の副光源による照射方向を所定の範囲に容易に向けることができる。
【００１４】
請求項９に記載の発明は、請求項１〜８のいずれかに記載の発明において、一対の前記第１の光源部が、前記枠の中心軸方向から見て、当該枠の中心から前記境界線と直交する直線に関して線対称となるように前記枠の一方の領域に取り付けられることを特徴とする。この構成によれば、デザイン性を向上させることができるとともに、照明器具の外側となる所定の範囲を対称に明るくすることができる。
【００１５】
請求項１０に記載の発明は、請求項１〜９のいずれかに記載の発明において、前記枠の中心軸方向から見て、前記第１の方向と前記第３の方向とでなされた角度が、前記第１の方向と前記第２の方向とでなされた角度より小さいことを特徴とする。この構成によれば、照明器具の外側となる所定の範囲にある物体に対して中央部を薄暗くした状態で両側部を明るくすることができる。
【発明の効果】
【００１６】
本発明によれば、複数の副光源によって照明器具の外側となる所定の範囲を周囲より明るくすることができる。
【発明を実施するための最良の形態】
【００１７】
（実施形態１）
本発明の実施形態１について図１〜６を用いて説明する。図１〜３，５は、実施形態１の照明器具を示す図である。図４は、実施形態１の第１の光源部を示す図である。図６は、実施形態１の照明器具を部屋に取り付けた状態を示す図である。
【００１８】
まず、実施形態１の基本的な構成について説明する。実施形態１の照明器具は、図１に示すように、主光源１と、器具本体２と、枠３と、２つの第１の光源部４，４と、１つの第２の光源部５とを備え、住宅構造材である部屋６の天井面６０（図６（ａ）参照）に取り付けられたものである。
【００１９】
主光源１は、例えば２つの丸型蛍光灯などであり、リモコン送信器（図示せず）への操作によって点灯及び消灯を行って周囲を照射する。また、必要に応じて調光されて点灯する。なお、主光源１は丸型蛍光灯に限定されるものではなく、直管蛍光灯などの他の形状の蛍光灯や発光ダイオードなどであってもよい。
【００２０】
器具本体２は、図２に示すように、例えば樹脂成形などによって有底筒状に形成されたものであり、底面部２０と、底面部２０の外周縁部から延設された側面部２１とを備え、例えば引掛シーリング取り付け方式などによって部屋６の天井面６０（図６（ａ）参照）に密着して取り付けられ、周方向の回動によって所定の向きに合わせられる。また、器具本体２には、透明又は白色（乳白色）の透光性材料によって形成されたカバー２２（図１参照）が取り付けられる。底面部２０は、円状に形成されたものであり、主光源１（図１参照）を装着するコネクタ（図示せず）を備えている。これにより、器具本体２は、主光源１を装着可能とする。また、底面部２０には、電源と接続する接続線（図示せず）を天井面６０から引き込むための貫通孔（図示せず）が形成されている。一方、側面部２１は、先端部２１０の外径が基端部２１１の外径より長くなるように、段差部２１２を有して略筒状に形成されたものである。
【００２１】
枠３は、例えば樹脂成形などによって円環状に形成され、器具本体２の先端部２１０の外周縁部に延設されたものである。この枠３は、図３に示すように、中心軸３０と直交する境界線３１によって第１の領域３２と第２の領域３３に区切られている。第１の領域３２の外周部３２０には、２つの凹部３２１，３２１が１２０°離れて形成されている。一方、第２の領域３３の外周部３３０には、１つの凹部３３１が各凹部３２１と１２０°離れて形成されている。
【００２２】
各凹部３２１の近傍には、図２に示すように、上方向に突設する一対の突設部３２２，３２２が、枠３の半径方向との間の軸角度（図３参照）が１１５°になるように設けられている。また、凹部３３１の近傍にも、上方向に突設する一対の突設部（図示せず）が、枠３の半径方向との間の軸角度（図３参照）が９０°になるように設けられる。各突設部３２２には、凹部３２３が形成されている。凹部３３１の近傍にある一対の突設部にも、凹部３２３と同様の凹部（図示せず）が形成されている。
【００２３】
また、上記枠３には止め具３５が取り付けられる。この止め具３５は、例えば樹脂成形などによって器具本体２及び枠３の外壁面に沿った形状に形成されたものであり、第１の光源部４（第２の光源部５）を枠３に取り付けるときに用いられる。
【００２４】
第１の光源部４のそれぞれは、図４（ａ）に示すように、光を放射する発光ダイオード（第１の副光源）（以下「ＬＥＤ」という）４０と、第１の可動部４１と、第２の可動部４２と、軸部４３とを備え、枠３の凹部３２１（図２参照）に取り付けられる。つまり、第１の光源部４は、第１の領域３２に取り付けられることになる。
【００２５】
ＬＥＤ４０は、ＬＥＤ基板４００と一体になって設けられている。このＬＥＤ４０は、リモコン送信器（図示せず）への操作によって点灯又は消灯を行う。また、必要に応じて調光されて点灯する。
【００２６】
第１の可動部４１は、上本体４１０と、下本体４１１とから構成されている。上本体４１０は、例えば樹脂成形などによって略半球状に形成されている。この上本体４１０は、上端の内壁面から下方向に突設された複数の突設部４１２，４１２を備えている。一方、下本体４１１は、例えば樹脂成形などによって略筒状に形成されている。この下本体４１１は、内壁面から上方向に突設された複数の突設部４１３を備えている。また、下本体４１１の下端には、略円状の照射用開口面（第１の照射用開口面）４１４が形成されている。この照射用開口面４１４には、レンズ４１５が取り付けられている（図４（ｂ）参照）。このような第１の可動部４１は、上本体４１０の突設部４１２，４１２と下本体４１１の突設部４１３によって、ＬＥＤ４０及びＬＥＤ基板４００を挟持して収納し、ＬＥＤ４０とともに光源ユニット部を構成する。
【００２７】
第２の可動部４２は、２つの外郭部材４２０，４２１とから構成されている。外郭部材４２０は、例えば樹脂成形などによって略半球状に形成されたものである。この外郭部材４２０には、上端に貫通孔４２２（図４（ｃ）参照）が形成されている。また、外郭部材４２０は、上端の内壁面から下方向に突設された突設部４２３を備えている。この突設部４２３の先端には板ばね４２４が取り付けられている。この板ばね４２４は、第２の可動部４２が第１の可動部４１を収納したときに、第１の可動部４１が上方に移動するのを防止するものである。一方、外郭部材４２１は、例えば樹脂成形などによって略筒状に形成されたものであり、下端において内側に屈曲して設けられた回転止め部４２５を備えている。上記第２の可動部４２は、外郭部材４２０，４２１によって第１の可動部４１を挟み込んで収納している。このとき、第２の可動部４２は、回転止め部４２５によって第１の可動部４１の落下を防止するとともに回動範囲を制御している。第２の可動部４２に収納された第１の可動部４１は、図５に示すように、手動によって、全方向に４８°の範囲内で回動自在となる。
【００２８】
軸部４３は、図４（ａ）に示すように、例えば樹脂成形などによって形成されたものであり、円柱部４３０と、２つの突条部４３１，４３１とを備えている。この軸部４３は、外郭部材４２０，４２１によって一端部が挟持されて固定されている。上記軸部４３が枠３に取り付けられたときに、第２の可動部４２は、図５に示すように、手動によって、第１の可動部４１とともに軸部４３の回りに外側方向に６０°、内側方向に１０°揺動自在となる。
【００２９】
ここで、第１の光源部４の枠３への取り付け方法について説明する。まず、図２に示すように、軸部４３を枠３の突設部３２２の凹部３２３に嵌合し、第２の可動部４２を枠３の凹部３２１に嵌合する。続いて、止め具３５を上方向から被せて枠３に嵌め合わせる。上記より、第１の光源部４を枠３に取り付けることができる。これにより、図６（ｂ）に示すように、枠３の中心軸３０（図３参照）の方向から見て、一対の第１の光源部４，４が、枠３の中心から境界線３１と直交する直線に関して線対称となるように枠３の第１の領域３２に取り付けられることになる。また、第１の光源部４を枠３に取り付けた状態において、照射用開口面４１４の法線（図６（ｂ）の矢印）は、枠３の中心とＬＥＤ４０を結ぶ直線４５に対して、境界線３１と直交する直線４６側に傾いて角度をなすように手動によって調整されることが可能となる。直線４５と照射用開口面４１４の法線方向とでなされた角度は、直線４５と直線４６とでなされた角度より小さい。照射用開口面４１４から外側に出射したＬＥＤ４０からの光は、上記照射用開口面４１４の法線方向を中心に照射する。
【００３０】
第２の光源部５は、図４（ａ）に示すように、第１の光源部４と同様に、光を放射するＬＥＤ（第２の副光源）５０と、第１の可動部５１と、第２の可動部５２と、軸部５３とを備え、枠３の凹部３３１（図３参照）に取り付けられる。つまり、第２の光源部５は、図３に示すように、第２の領域３３に取り付けられることになる。これにより、第２の光源部５と２つの第１の光源部４，４は、枠３の周方向に１２０°ごとに等間隔に取り付けられることになる。
【００３１】
ＬＥＤ５０は、図４（ａ）に示すように、第１の光源部４のＬＥＤ４０と同様に、リモコン送信器（図示せず）への操作によって点灯又は消灯を行う。また、必要に応じて調光されて点灯する。第１の可動部５１には、第１の光源部４の第１の可動部４１と同様に、照射用開口面（第２の照射用開口面）５１０が形成されている。この第１の可動部５１は、第１の可動部４１と同様に、ＬＥＤ５０を挟持して収納し、ＬＥＤ５０とともに光源ユニット部を構成する。第２の可動部５２は、図３に示すように、軸部５３と枠３の半径方向との間の軸角度が９０°になるように取り付けられる。この第２の可動部５２は、図５に示すように、手動によって、第１の可動部５１と同様に、軸部５３（図３参照）の回りを外側方向に６０°、内側方向に１０°揺動自在となる。
【００３２】
ここで、第２の光源部５の枠３への取り付け方法は、第１の光源部４の枠３への取り付け方法と同様であり、まず、図３に示すように、軸部５３を枠３の突設部の凹部（図示せず）に嵌合し、第２の可動部５２を枠３の凹部３３１に嵌合する。続いて、止め具３５（図２参照）を上方向（図３の奥から手前方向）から被せて枠３に嵌め合わせる。上記より、第２の光源部５を枠３に取り付けることができる。第２の光源部５を枠３に取り付けた状態において、図６（ａ）に示すように、照射用開口面５１０の法線（図６（ａ）の下方向の矢印）は、枠３の中心軸３０（図３参照）と略平行に調整されることが可能となる。つまり、手動によって、第２の光源部５が可動して、上記照射用開口面５１０の法線を照明器具の直下方向にすることができる。照射用開口面５１０から外部に出射したＬＥＤ５０からの光は、上記照射用開口面５１０の法線方向を中心に照射する。
【００３３】
次に、実施形態１の照明器具を部屋６に取り付けた場合について図６を用いて説明する。なお、部屋６は、図６（ａ）に示すような一般的なものであり、壁面６１の近くにテレビ６２が置かれ、テレビ６２に対向する位置に、テレビ鑑賞者が座る椅子６３及びテーブル６４が置かれている。この部屋の大きさは、照明器具の中心から壁面６１までが２．７メートルであり、高さが２．４メートルである。照明器具は、引掛シーリング取り付け方式によって天井面６０に取り付けられ、テレビ６２のサイズや設置場所に応じて自由に回動させて向きの調整が行われる。
【００３４】
まず、テレビ６２を鑑賞する以外の場合では、リモコン送信器（図示せず）への点灯操作によって主光源１のみが点灯したり、主光源１及びＬＥＤ４０，５０（図４（ａ）参照）の両方が点灯したりする。必要に応じて、主光源１又はＬＥＤ４０，５０が調光されて点灯する。また、外出時や就寝時には、リモコン送信器への消灯操作によって、主光源１及びＬＥＤ４０，５０が消灯する。
【００３５】
これに対して、テレビ６２を鑑賞する場合、臨場感を出すためにテレビ６２の周囲のみを明るくすることが多く、第１の光源部４のＬＥＤ４０（図４（ａ）参照）のそれぞれによって範囲６５，６５を明るくする。これらの範囲６５は、部屋６の天井面６０側から見ると、図６（ｂ）に示すように、テレビ６２の両側に位置している。第１の光源部４の軸部４３が枠３の半径と直交する方向から２５°傾いていること、及び第１の可動部４１によって２４°回動すること（図５参照）によって、上記範囲６５を直線４５から最大４９°傾かせることができる。また、テレビ鑑賞者はテレビ６２を鑑賞している間に手元を明るくしたいときがある。このような場合、図６（ａ）に示すように、第２の光源部５のＬＥＤ５０（図４（ａ）参照）によって、テレビ鑑賞者の手元となる範囲６６が照射される。
【００３６】
上記より、テレビ６２を鑑賞する場合、基本的に部屋６を薄暗くして、第１の光源部４のＬＥＤ４０（図４（ａ）参照）によってテレビ６２の周囲の壁面を含む範囲６５のみを明るくすることができる。これにより、臨場感を出すことができる。また、テレビ鑑賞者の手元を明るくしたいときにも、第２の光源部５のＬＥＤ５０（図４（ａ）参照）によって照射することができる。
【００３７】
以上、実施形態１によれば、部屋６を薄暗く保ちながら、２つの第１の光源部４のＬＥＤ４０によって照明器具の外側となる所定の範囲６５を周囲より明るくすることができる。これにより、臨場感を出すなどのユーザの希望や用途に応じた雰囲気を出すことを可能とする。また、第２の光源部５のＬＥＤ５０によって照明器具の直下の範囲６６を周囲より明るくすることができる。さらに、第１の光源部４の外郭部材４０の揺動及び第１の可動部４１の回動、及び器具本体２の回動によって、第１の光源部４のＬＥＤ４０による照射方向を容易に調整することができる。これにより、テレビ６２のサイズや設置場所に関わらず、テレビ６２の設置方向に照射されるように照明器具を取り付けることができる。
【００３８】
上記に追加して、２つの第１の光源部４，４及び第２の光源部５を枠３に等間隔に取り付けることによって、デザイン性を向上させることができる。また、第１の光源部４及び第２の光源部５の副光源としてＬＥＤ４０，５０を備えているので、より一層の小型化を図ることができるとともに、幅の薄い枠３に配置することができるので、薄型で器具本体２と一体感のあるすっきりとしたデザインとすることができる。
【００３９】
さらに、一対の第１の光源部４，４が、枠３の中心軸３０の方向から見て、枠３の中心から境界線と直交する直線４６に関して線対称となるように枠３の第１の領域３２に取り付けられているので、デザイン性を向上させることができるとともに、照明器具の外側となる所定の範囲を対称に明るくすることができる。また、枠３の中心軸３０の方向から見て、直線４５と照射用開口面４１４の法線方向とでなされた角度が、直線４５と直線４６とでなされた角度より小さいので、壁面６１近傍にあるテレビ６２などの物体に対して中央部を薄暗くした状態で両側部を明るくすることができる。
【００４０】
なお、実施形態１の変形例として、器具本体が、角形など、円形以外の形状であってもよい。このような構成にしても、実施形態１と同様の効果を得ることができる。
【００４１】
また、実施形態１の他の変形例として、実施形態１の部屋より大きい部屋又は小さい部屋に照明器具を取り付けてもよい。このようにしても、実施形態１と同様の効果を得ることができる。
【００４２】
（実施形態２）
本発明の実施形態２について図７，８を用いて説明する。図７，８は、実施形態２の照明器具の要部を示す図である。
【００４３】
実施形態２の照明器具は、実施形態１の照明器具（図１参照）と同様に、主光源１と、器具本体２と、２つの第１の光源部４，４と、１つの第２の光源部５とを備えているが、実施形態１の照明器具にはない以下に記載の特徴部分がある。
【００４４】
実施形態２の照明器具は、実施形態１の枠に代えて、図７，８に示すような枠３ａを備えている。枠３ａには、凹部ではなく、貫通孔３４が第１の領域３２（図３参照）に２つ形成され、第２の領域３３（図３参照）に１つ形成されている。これら３つの貫通孔３４は、それぞれ１２０°離れて形成されている。上記貫通孔３４には、第１の光源部４又は第２の光源部５（図４（ａ）参照）が取り付けられている。なお、枠３ａは、上記以外の点において、実施形態１の枠３（図１参照）と同様である。
【００４５】
以上、実施形態２であっても、実施形態１と同様の効果を得ることができる。
【００４６】
（実施形態３）
本発明の実施形態３について図９を用いて説明する。図９は、実施形態３の照明器具の要部を示す図である。
【００４７】
実施形態３の照明器具は、実施形態１の照明器具（図１参照）と同様に、主光源１と、器具本体２とを備えているが、実施形態１の照明器具にはない以下に記載の特徴部分がある。
【００４８】
実施形態３の照明器具は、実施形態１の枠、第１の光源部及び第２の光源部に代えて、図９に示すような枠３ｂ、第１の光源部４ａ及び第２の光源部（図示せず）を備えている。枠３ｂには、凹部ではなく、貫通孔が第１の領域３２（図３参照）に２つ形成され、第２の領域３３（図３参照）に１つ形成されている。これら３つの貫通孔は、１２０°それぞれ離れて形成されている。なお、枠３ｂは、上記以外の点において、実施形態１の枠３（図１参照）と同様である。
【００４９】
一方、第１の光源部４ａは、上方で軸部４３（図３参照）と接続する第２の可動部４２ａを備えている。なお、実施形態３の第２の光源部は、第１の光源部４ａと同様の構成である。また、第１の光源部４ａ及び第２の光源部（図示せず）は、上記以外の点において、実施形態１の第１の光源部４及び第２の光源部５（図１参照）と同様である。
【００５０】
以上、実施形態３であっても、実施形態１と同様の効果を得ることができる。
【００５１】
（実施形態４）
本発明の実施形態４について図１０を用いて説明する。図１０は、実施形態４の照明器具の要部を示す図である。
【００５２】
実施形態４の照明器具は、実施形態３の照明器具（図１，９参照）と同様に、主光源１と、器具本体２と、枠３ｂとを備えているが、実施形態３の照明器具にはない以下に記載の特徴部分がある。
【００５３】
実施形態４の照明器具は、実施形態３の第１の光源部及び第２の光源部に代えて、図１０に示すような第１の光源部７及び第２の光源部（図示せず）を備えている。第１の光源部７は、実施形態３の第１の光源部のように可動するものではなく、照射用開口面（第１の照射用開口面）７０が固定されたものである。つまり、第１の光源部７の照射範囲は常に一定である。上記より、第１の光源部７は、軸部などを設ける必要がなく安定に固定することができる。なお、実施形態４の第２の光源部は、第１の光源部７と同様の構成である。
【００５４】
以上、実施形態４によれば、第１の光源部７が固定されることによって、照射用開口面７０が固定されている場合であっても、実施形態１と同様に、第１の光源部７のＬＥＤ（図示せず）によって照明器具の外側となる所定の範囲を周囲より確実に明るくすることができる。
【００５５】
（実施形態５）
本発明の実施形態５について図１１を用いて説明する。図１１は、実施形態５の第１の光源部を示す図である。
【００５６】
実施形態５の照明器具は、実施形態１の照明器具（図１参照）と同様に、主光源１と、器具本体２と、枠３とを備えているが、実施形態１の照明器具にはない以下に記載の特徴部分がある。
【００５７】
実施形態５の照明器具は、実施形態１の２つの第１の光源部及び第２の光源部に代えて、図１１（ａ），（ｂ）に示すような第１の光源部８を２つ、第２の光源部（図示せず）を１つ備えている。第１の光源部８のそれぞれは、光を放射するミニクリプトン電球（第１の副光源）８０と、第２の可動部８１と、反射鏡８２と、軸部８３とを備え、枠３の凹部３２１（図２参照）に取り付けられる。なお、実施形態５の第２の光源部は、第１の光源部８と同様の構成である。
【００５８】
第２の可動部８１は、例えば樹脂成形などによって有底筒状に形成されたものであり、底面部８１０にソケット８１１を備えている。このソケット８１１は、ミニクリプトン電球８０を螺合によって取り付けるものである。また、第２の可動部８１の下端には、略円状の照射用開口面（第１の照射用開口面）８１２が形成されている。
【００５９】
反射鏡８２は、アルミニウム板によって略半球状に形成されたものであり、内側が銀色の鏡面仕上げが施されている。この反射鏡８２には、上部にソケット８１１と嵌合する嵌合孔８２０が形成されている。上記反射鏡８２は、ミニクリプトン電球８０の一部を覆うように設けられている。
【００６０】
軸部８３は、実施形態１の軸部４３（図４（ａ）参照）と同様の構成であり、円柱部８３０と、２つの突条部８３１，８３１とを備えている。この軸部８３は、第２の可動部８１の側面部８１３の底面部８１０側（図１１（ａ）の上側）に一端部が取り付けられて固定されている。上記軸部８３が枠３の一対の突設部３２２，３２２（図２参照）に取り付けられたときに、第２の可動部８１は、手動によって、軸部８３の中心軸８３２の回りに揺動自在となる。また、実施形態１と同様に、一対の突設部３２２，３２２が、枠３の半径方向との間の角度が１１５°になるように設けられているので、軸部８３の中心軸８３２は枠３の半径方向との軸角度が１１５°となる（図３参照）。一方、凹部３３１（図３参照）の近傍にある一対の突設部が、枠３の半径方向との間の角度が９０°になるように設けられているので、実施形態５の第２の光源部における軸部の中心軸は枠３の半径方向との角度が９０°となる（図３参照）。
【００６１】
ここで、ミニクリプトン電球８０からの光の光路について説明する。このミニクリプトン電球８０からの光の一部は、直接、照射用開口面８１２から外部に出射する。一方、ミニクリプトン電球８０からの光の残部は、まず反射鏡８２に向かって出射し、この反射鏡８２で反射されて照射用開口面８１２から外部に出射する。上記より、いずれの光も照射用開口面８１２から外部を照射することになる。
【００６２】
以上、実施形態５によれば、第１の光源部８のようにミニクリプトン電球８０の周囲に反射鏡８２が設けられたものであっても、ミニクリプトン電球８０からの光が照射用開口面８１から外部を照射することができる。これにより、２つの第１の光源部８のミニクリプトン電球８０によって照明器具の外側となる所定の範囲を周囲より明るくすることができる。
【００６３】
なお、実施形態１〜５の変形例として、３つ以上の第１の光源部を備えるものであってもよい。このような構成にすると、照明器具の外側となる所定の範囲を周囲に対してより明るく照射することができる。
【００６４】
また、実施形態１〜５の他の変形例として、副光源としてＬＥＤに代えて、白熱灯などを用いてもよい。このような構成にしても、実施形態１〜５と同様の効果を得ることができる。
【００６５】
さらに、実施形態１〜５の他の変形例として、第１の光源部及び第２の光源部において、第１の照射用開口面及び第２の照射用開口面の可動範囲、並びに第１の副光源及び第２の副光源の色温度を、目的や用途に応じて適宜設定したものであってもよい。例えば、第１の照射用開口面の可動範囲を６０°とし、第２の照射用開口面の可動範囲を１０°としてもよい。また、第１の副光源を電球色とし、第２の副光源を白色としてもよい。このようにしても、実施形態１〜５と同様の効果を得ることができる。
【００６６】
また、実施形態１〜５の他の変形例として、枠の第１の領域に、第１の光源部とは異なる別の光源部を第１の光源部とともに備えてもよい。この別の光源部は、例えば第２の光源部と同様の構成や、照射方向が直下方向に固定された構成などであり、目的や用途に応じて適宜設定されるものである。このような別の光源部を備えているとしても、実施形態１〜５と同様の効果を得ることができる。
【００６７】
また、実施形態１〜５の他の変形例として、枠は円環状のものに限定されるものではなく、目的や用途に応じて、例えば三角形や四角形など他の形状のものであってもよい。このような枠の形状であっても、実施形態１〜５と同様の効果を得ることができる。
【図面の簡単な説明】
【００６８】
【図１】本発明による実施形態１の照明器具の外観斜視図である。
【図２】同上の照明器具の要部を示す分解斜視図である。
【図３】同上の照明器具の下面図である。
【図４】同上の照明器具の第１の光源部であって、（ａ）は断面図、（ｂ）は下面図、（ｃ）は上面図である。
【図５】同上の照明器具の要部を示す側面図である。
【図６】同上の照明器具を部屋に取り付けた状態であって、（ａ）は側面図、（ｂ）は上面図である。
【図７】本発明による実施形態２の照明器具の要部を示す下面図である。
【図８】同上の照明器具の要部を示す側面図である。
【図９】本発明による実施形態３の照明器具の要部を示す側面図である。
【図１０】本発明による実施形態４の照明器具の要部を示す側面図である。
【図１１】本発明による実施形態５の照明器具の第１の光源部であって、（ａ）は断面図、（ｂ）は外観斜視図である。
【符号の説明】
【００６９】
１  主光源
２  器具本体
３  枠
４  第１の光源部
４１  第１の可動部
４２  第２の可動部
４３  軸部
【図１】
0004655952.tif 000002
【図２】
0004655952.tif 000003
【図３】
0004655952.tif 000004
【図４】
0004655952.tif 000005
【図５】
0004655952.tif 000006
【図６】
0004655952.tif 000007
【図７】
0004655952.tif 000008
【図８】
0004655952.tif 000009
【図９】
0004655952.tif 000010
【図１０】
0004655952.tif 000011
【図１１】
0004655952.tif 000012